(57)【要約】【課題】積層された上筐体および下筐体が互いに面方向に沿って相対移動して伸長状態となったときに、機能部材を隠蔽できる携帯端末を提供する。【解決手段】携帯端末１０は、上筐体１１，下筐体１２を連結し、携帯状態から伸長状態まで案内する連結部３０を備える。連結部３０は、下筐体１２の表面１２Ａに設けた第１レール３１，第２レール３２と、上筐体１１の裏面１１Ｂに設けられた係合部３３とを有する。携帯端末１０は、第１レール３１，第２レール３２を交差連結することにより、上筐体１１，下筐体１２が第１レール３１に沿って相対移動した第１伸長状態と、上筐体１１，下筐体１２が第２レール３２に沿って相対移動した第２伸長状態とを選択できる。【選択図】図３
2010283882.tif 000002
【特許請求の範囲】
【請求項１】
上筐体および下筐体と、
前記上筐体および前記下筐体を連結するとともに、前記上筐体および前記下筐体が互いに積層した携帯状態から、前記上筐体および前記下筐体が面方向に沿って相対移動した伸長状態まで前記上筐体および前記下筐体を案内するために設けられた連結部とを備え、
前記連結部は、前記上筐体の裏面および前記下筐体の表面のうちの一方に設けられたレールと、前記上筐体の裏面および前記下筐体の表面のうちの他方に設けられて前記レールに係合する係合部とを有し、
前記レールは、前記上筐体および前記下筐体の長手方向に沿って連続する第１レールと、前記第１レールに対して連結された第２レールと、前記第２レールと同一方向に向かい前記第１レールおよび前記第２レールとともに平面略コ字状を形成するように前記第１レールに対して連結される第３レールと、を有する携帯端末であって、
前記上筐体および前記下筐体が前記第１レールに沿って相対移動した第１伸長状態と、
前記上筐体および前記下筐体が前記第２レールに沿って相対移動した第２伸長状態と、
前記上筐体および前記下筐体が前記第３レールに沿って相対移動した第３伸長状態と、を有する携帯端末。
【請求項２】
請求項１に記載の携帯端末であって、
前記第１伸長状態は前記携帯状態より遷移し、
前記第２伸長状態は前記第１伸長状態より遷移し、
前記第３伸長状態は前記携帯状態より遷移する携帯端末。
【発明の詳細な説明】
【技術分野】
【０００１】
本発明は、積層された第１筐体および第２筐体が互いに面方向に沿って相対移動することにより伸長状態となる携帯端末に関する。
【背景技術】
【０００２】
従来より、連結部を介して互いに積層された上筐体および下筐体を面方向に沿って相対移動させることにより伸長状態となるスライド式の携帯端末が提案されている（例えば特許文献１）。
上筐体は、表面にＬＣＤ等の表示部と、レシーバーとを備えている。一方、下筐体は、表面に各種キーが配列された操作部と、マイクロフォンとを備え、制御部，通信部等が設けられた回路基板と、通信部に接続されたアンテナとが収納されている。
【０００３】
連結部は、上筐体の裏面および下筐体の表面のうちの一方に設けられたレールと、上筐体の裏面および下筐体の表面のうちの他方に設けられてレールに係合する係合部とを備えている。
この携帯端末は、連結部のレールに沿って係合部を摺動させながら上筐体および下筐体を相対移動させることにより、上筐体および下筐体が互いに積層した携帯状態と、上筐体および下筐体が長手方向に沿って段差配列される伸長状態とを選択できる。
【先行技術文献】
【特許文献】
【０００４】
【特許文献１】特開２０００−７８２５４号公報
【発明の概要】
【発明が解決しようとする課題】
【０００５】
ところで、以上のようなスライド式の携帯端末は、構造上の理由から、伸長状態においても上筐体および下筐体を部分的に積層させておく必要がある。従って、スライド式の携帯端末は、伸長状態における操作部の領域拡大に限界がある。
なお、スライド式の携帯端末は、伸長状態における操作部の領域を拡大するために、上筐体および下筐体の相対移動量を大きくすればよいが、この場合、連結部のレールが外部露出することになり、良好な外観性が得られないという不都合がある。
【０００６】
このような問題は、スライド式の携帯端末において、操作部の領域を拡大する際にのみ生じる課題ではなく、他の操作部や機能部材を新設する際にも生じる課題であり、伸長状態における露出領域を拡大できる携帯端末が求められていた。
【０００７】
本発明は前述した課題を解決するために成されたものであり、その目的は、積層された上筐体および下筐体が互いに面方向に沿って相対移動して伸長状態となったときの露出領域を拡大できる携帯端末を提供することにある。
【課題を解決するための手段】
【０００８】
本発明は、上筐体および下筐体と、前記上筐体および前記下筐体を連結するとともに、前記上筐体および前記下筐体が互いに積層した携帯状態から、前記上筐体および前記下筐体が面方向に沿って相対移動した伸長状態まで前記上筐体および前記下筐体を案内するために設けられた連結部とを備え、前記連結部が、前記上筐体の裏面および前記下筐体の表面のうちの一方に設けられたレールと、前記上筐体の裏面および前記下筐体の表面のうちの他方に設けられて前記レールに係合する係合部とを有する携帯端末であって、前記連結部が、前記上筐体および前記下筐体の長手方向に沿って連続する第１レールと、前記第１レールに対して交差連結された第２レールとを有し、前記上筐体および前記下筐体が前記第１レールに沿って相対移動した第１伸長状態と、前記上筐体および前記下筐体が前記第２レールに沿って相対移動した第２伸長状態とを選択可能であることを特徴としている。
【０００９】
ここで、第１伸長状態としては、例えば携帯状態から上筐体および下筐体が長手方向に沿って相対移動して段差配列された状態等を例示できる。一方、第２伸長状態としては、例えば携帯状態あるいは第１伸長状態から上筐体および下筐体が互いに幅方向に沿って移動して段差配列された状態等を例示できる。
すなわち、この携帯端末においては、第１伸長状態から第２伸長状態となると、上筐体および下筐体が二次元方向に段差配列されることになる。
【００１０】
また、連結部としては、第１レールおよび第２レールが例えば略Ｌ字状，略Ｔ字状，略コ字状，略Ｅ字状，略Ｖ字状，略十文字状，角形状等に連結されていればよく、上筐体あるいは下筐体に対する第１レールの配向角度や、第１レールおよび第２レールの数や交差角度等は任意である。
【００１１】
このような携帯端末においては、交差連結された第１レールおよび第２レールを連結部が有しているため、伸長状態として異なる方向に上筐体および下筐体が段差配列される第１伸長状態および第２伸長状態を選択できることになる。
すなわち、携帯状態において隠蔽され、かつ、第１伸長状態において露出する領域だけでなく、第２伸長状態において露出する領域が得られることになり、従来に比較して伸長状態となったときの露出領域を拡大できることになる。
【００１２】
なお、第１伸長状態において隠蔽され、かつ、第２伸長状態において露出する個所に適宜な機能部材を設けておけばよい。
機能部材としては、例えば相手撮り用あるいは自分撮り用のカメラ，カメラ用を含む多様な用途の照明，マイクロフォン，スピーカ，ＬＣＤやＥＬ等の表示部，赤外線通信（IrDAまたはIrMC）ポート，ＵＳＢ（Universal Serial Bus）プラグポートを含むプラグ接続コネクタ，メモリカード挿入孔，感圧面あるいはタッチパネル，十字キー，トラックボール，感圧面用スタイラス用等の各種収納部，筐体を傾斜支持するための脚部，ロッドアンテナ，電池カバー，ＴＶ受信時の選局ボタンや音量ボタン，関数キー等の特定用途の各種操作部，携帯状態あるいは第１伸長状態における使用頻度あるいは優先度が低い部材等を例示できる。
以上のような機能部材は、上筐体の裏面および下筐体の表面のうちの一方あるいは双方に設けておけばよく、その形態，数等は任意である。
【００１３】
また、本発明は、前記第２レールを複数有し、前記各第２レールが前記第１レールの両端部から同一方向に向かって連続していることを特徴としている。
【００１４】
このような携帯端末においては、第１レールの両端部から第２レールが同一方向に連続しているため、携帯状態から第１伸長状態を経た第２伸長状態と、携帯状態から上筐体および下筐体が互いに幅方向に沿って移動した第３伸長状態とを選択できることになる。
従って、この携帯端末においては、携帯状態から第３伸長状態に直接移行すれば、例えばカメラ等の機能部材を携帯状態から素早く露出させられるため、シャッターチャンスを逃すことなく撮影できることになる。
【発明の効果】
【００１５】
本発明によれば、上筐体および下筐体が段差配列される伸長状態が複数得られるため、従来に比較して露出領域を拡大できるという効果を有する。
【図面の簡単な説明】
【００１６】
【図１】本発明の第１実施形態を示す全体斜視図である。
【図２】第１実施形態における連結部を示す分解斜視図および要部破断斜視図である。
【図３】第１実施形態における連結部の動作を示す模式平面図である。
【図４】本発明の第２実施形態を示す全体斜視図である。
【図５】第２実施形態における連結部の動作を示す模式平面図である。
【図６】本発明の第３実施形態を示す全体斜視図である。
【図７】本発明の第４実施形態を示す全体斜視図である。
【図８】本発明の第５実施形態を示す全体斜視図である。
【図９】本発明の第６実施形態を示す全体斜視図および模式平面図である。
【図１０】本発明の第７実施形態を示す全体斜視図および模式側面図である。
【図１１】本発明の第８実施形態を示す全体斜視図および要部拡大斜視図である。
【図１２】本発明の第９実施形態を示す模式平面である。
【図１３】本発明の第１０実施形態を示す模式平面である。
【図１４】本発明の第１１実施形態を示す模式平面である。
【図１５】本発明の第１２実施形態を示す模式平面である。
【発明を実施するための形態】
【００１７】
以下、本発明に係る実施形態を図面に基づいて詳細に説明する。
図１は本発明に係る第１実施形態を示す全体斜視図、図２は第１実施形態の連結部を示す斜視図、図３は第１実施形態の動作を示す平面図、図４は連結部の詳細を示す要部拡大平面図である。
【００１８】
（第１実施形態）
図１に示すように、第１実施形態の携帯端末１０は、平面略長方形の上筐体１１と、上筐体１１に連結部３０を介して連結される平面略長方形の下筐体１２とを有している。
上筐体１１は、表面１１ＡにＬＣＤ等の表示部１３と、レシーバー１４と、副操作部１５とを備え、裏面１１Ｂに機能部材である相手撮りカメラ（カメラモジュール）１６，カメラ用照明１７，撮影用マイクロフォン１８，赤外線通信（IrDAまたはIrMC）ポート１９を備えている。
一方、下筐体１２は、表面１２Ａに各種キーが配列された主操作部２０と、通話用マイクロフォン２１と、自分撮りカメラ（カメラモジュール）２２とを備え、内部に制御部，通信部等が設けられた回路基板と、通信部に接続されたアンテナとが収容されている。
【００１９】
図２（Ａ）に示すように、連結部３０は、下筐体１２の表面１２Ａに設けられた一対の第１レール３１，３１と、各第１レール３１，３１の端部にそれぞれ連結された第２レール３２，３２と、上筐体１１の裏面１１Ｂに設けられて第１レール３１，３１および第２レール３２，３２に係合する一対の係合部３３，３３とを備えている。
第１レール３１，３１は、下筐体１２の長手方向に沿うとともに互いに平行に配置されている。第２レール３２，３２は、互いに同一直線に沿うように、第１レール３１，３１に対して直交する略Ｌ字状に配置されている。
【００２０】
図２（Ｂ）に示すように、係合部３３，３３は、断面長方形の角柱状に形成された軸部３３Ａと、軸部３３Ａの端部に設けられた長方形板状の鍔部３３Ｂとを有している。
一方、第１レール３１，３１および第２レール３２，３２は、断面略逆Ｔ字状の溝とされている。そして、第１レール３１，３１の開口幅寸法Ｗ１は軸部３３Ａの断面短辺寸法Ｗ２に対応し、第２レール３２，３２の開口幅寸法Ｗ３は軸部３３Ａの断面長辺寸法Ｗ４に対応している。
【００２１】
従って、図３に示すように、係合部３３，３３は、第１レール３１，３１の長手方向に軸部３３Ａの断面長辺が沿うように係合させることにより、第１レール３１，３１および第２レール３２，３２に対して引き抜き不可能となり、かつ、第１レール３１，３１および第２レール３２，３２の長手方向に沿って摺動しながら案内される。
【００２２】
この携帯端末１０は、上筐体１１および下筐体１２が互いに積層した携帯状態から、第１伸長状態（図３（Ａ）の状態）と第２伸長状態（図３（Ｂ）の状態）とを選択できる。  すなわち、第１伸長状態は、連結部３０の第１レール３１，３１に沿って係合部３３，３３を摺動させながら、上筐体１１および下筐体１２を相対移動させることにより上筐体１１および下筐体１２が長手方向に沿って段差配列される状態である。
【００２３】
一方、第２伸長状態は、第１伸長状態から連結部３０の第２レール３２，３２に沿って係合部３３，３３を摺動させながら、上筐体および下筐体を相対移動させることにより上筐体１１および下筐体１２が長手方向および幅方向に沿って二次元方向に段差配列される状態である。
【００２４】
なお、この携帯端末１０は、第２伸長状態において第１レール３１，３１および第２レール３２，３２が露出しないように、第１レール３１，３１および第２レール３２，３２が上筐体１１の長手方向に沿った中心線に対してオフセット配置されている。
【００２５】
このような連結部３０は、第１レール３１および第２レール３２の交差部から第２レール３２の終端まで、第２レール３２に沿って位置決め部材３４が設けられている。
位置決め部材３４は、弾性を有する波板とされ、図３（Ａ）に示すように、第１湾曲部３４Ａが軸部３３Ａの角部に弾性圧接することにより係合部３３が第１レール３１および第２レール３２の交差部に位置決めされ、図３（Ｂ）に示すように、第２湾曲部３４Ｂが軸部３３Ａの角部に弾性圧接することにより係合部３３が第２レール３２の終端に位置決めされる。
従って、携帯端末１０は、位置決め部材３４が変形するような外力が加わらなければ、第１伸長状態あるいは第２伸長状態が維持される。
【００２６】
そして、相手撮りカメラ１６，カメラ用照明１７，撮影用マイクロフォン１８，赤外線通信ポート１９，自分撮りカメラ２２カメラは、携帯状態および第１伸長状態において隠蔽され、第２伸長状態となったときに露出する部位に設けられている。
【００２７】
以上のような携帯端末１０によれば、交差連結された第１レール３１，３１および第２レール３２，３２を連結部３０が有しているため、上筐体１１および下筐体１２が段差配列される第１伸長状態および第２伸長状態を選択できる。
すなわち、この携帯端末１０によれば、携帯状態において隠蔽され、かつ、第１伸長状態において露出する領域だけでなく、第２伸長状態において露出する領域が得られることになる。
【００２８】
従って、この携帯端末１０によれば、従来に比較して伸長状態となったときの露出領域を拡大できるため、例えば主操作部２０を広く確保することにより良好な操作性が得られるとともに、第２伸長状態により得られる領域に他の機能部材を新設することにより多様な機能を付加できる。
【００２９】
また、第１実施形態の携帯端末１０によれば、機能部材である相手撮りカメラ１６，カメラ用照明１７，撮影用マイクロフォン１８，赤外線通信ポート１９，自分撮りカメラが携帯状態および第１伸長状態において隠蔽されるため、これらの機能部材に埃や塵が付着したり、あるいは傷が生じる可能性を少なくできる。
そして、この携帯端末１０によれば、これらの機能部材が第２伸長状態となったときに露出するため、通常使用に支障が生じず、良好な操作性が得られる。
【００３０】
（第２実施形態）
次に、本発明に係る第２実施形態を説明する。
なお、以下に説明する各実施形態において、既に第１実施形態において説明した部材等についての説明は同一符号、あるいは相当符号を付すことにより簡略化あるいは省略する。
【００３１】
図４に示す第２実施形態の携帯端末４０は、連結部３５が、図５に示すように、一対の第１レール３１，３１と、各第１レール３１，３１の両端部にそれぞれ連結された第２レール３２，３２および第３レール３６，３６とを備えている。
なお、図５は、理解を助けるために下筐体１２に対する第１レール３１，３１，第２レール３２，３２および第３レール３６，３６の配置個所が模式化された図である。
これらの第１レール３１，３１，第２レール３２，３２および第３レール３６，３６は、実施にあたって下筐体１２の表面１２Ａにおける適宜な個所に配置される。
【００３２】
第２レール３２，３２は、互いに同一直線に沿うように、第１レール３１，３１に対して直交する略Ｌ字状に配置されている。そして、第３レール３６，３６は、互いに同一直線に沿うように、第１レール３１，３１に対して直交する略Ｌ字状に配置されている。
従って、連結部３５は、第１レール３１，第２レール３２および第３レール３６が平面略コ字状に連結されている。
【００３３】
この携帯端末４０は、上筐体１１および下筐体１２が互いに積層した携帯状態から、第１伸長状態，第２伸長状態および第３伸長状態を選択できる。
すなわち、第１伸長状態は、連結部３５の第１レール３１，３１に沿って係合部を摺動させながら、上筐体１１および下筐体１２を相対移動させることにより上筐体１１および下筐体１２が長手方向に沿って段差配列される状態である。
【００３４】
次に、第２伸長状態は、第１伸長状態から連結部３５の第２レール３２，３２に沿って係合部を摺動させながら、上筐体１１および下筐体１２を相対移動させることにより上筐体１１および下筐体１２が長手方向および幅方向に沿って二次元方向に段差配列される状態である。
そして、第３伸長状態は、携帯状態から連結部３５の第３レール３６，３６に沿って係合部を摺動させながら、上筐体１１および下筐体１２を相対移動させることにより上筐体１１および下筐体１２が幅方向に沿って段差配列される状態である。
【００３５】
なお、この携帯端末４０は、第２伸長状態および第３伸長状態において第１レール３１，第２レール３２および第３レール３６が露出しないように、第１レール３１，３１，第２レール３２，３２および第３レール３６，３６が下筐体１２の長手方向に沿った中心線に対してオフセット配置されている。
【００３６】
このような第２実施形態の携帯端末４０によれば、従来に比較して伸長状態となったときの露出領域を拡大できるため、前述した第１実施形態と同様に、良好な操作性が得られるとともに、多様な機能を付加できるという効果が得られる。
【００３７】
そして、この携帯端末４０によれば、機能部材が隠蔽された状態の第２伸長状態を経由することなく携帯状態から機能部材である相手撮りカメラ１６，カメラ用照明１７，撮影用マイクロフォン１８が露出する第３伸長状態に直接移行できるため、携帯状態から素早く撮影できる。
すなわち、この携帯端末４０によれば、携帯状態から第３伸長状態に直接移行することにより、シャッターチャンスを逃すことなく撮影できる。
【００３８】
（第３実施形態）
図６に示す第３実施形態の携帯端末５０は、上筐体１１，下筐体１２，連結部３０が前述した第１実施形態と同様な構成を有している。
そして、この携帯端末５０は、第２伸長状態において下筐体１２の表面１２Ａの露出する部位に機能部材である関数キー３７が複数設けられている。
【００３９】
（第４実施形態）
図７に示す第４実施形態の携帯端末６０は、上筐体１１，下筐体１２，連結部３５が前述した第２実施形態と同様な構成を有している。
そして、この携帯端末６０は、第２伸長状態および第３伸長状態において下筐体１２の表面１２Ａの露出する部位に機能部材であるゲーム用十字キー３８が設けられている。ゲーム用十字キー３８は、第３伸長状態において、露出する主操作部２０の特定のキーと協働してゲーム時の入力部として機能する。
【００４０】
（第５実施形態）
図８に示す第５実施形態の携帯端末７０は、上筐体１１，下筐体１２，連結部３５が前述した第２実施形態と同様な構成を有している。
そして、この携帯端末７０は、第２伸長状態および第３伸長状態において下筐体１２の表面１２Ａの露出する部位に機能部材である接続用ポート３９Ａ，３９Ｂ，３９Ｃ，３９Ｄが設けられている。これらの接続用ポート３９Ａ，３９Ｂ，３９Ｃ，３９Ｄは、例えばＵＳＢケーブル４１や、図示しない各種ケーブルが接続可能とされている。
【００４１】
（第６実施形態）
図９に示す第６実施形態の携帯端末８０は、上筐体１１，下筐体１２，連結部３５が前述した第２実施形態と同様な構成を有し、ＴＶ受信可能となっている。
図９（Ａ）に示すように、携帯端末８０は、第２伸長状態および第３伸長状態において下筐体１２の表面１２Ａの露出する部位のうち凹部１２Ｂに機能部材であるＴＶ受信用ロッドアンテナ４２が収納されている。
図９（Ｂ）および図９（Ｃ）に示すように、ＴＶ受信用ロッドアンテナ４２は、第２伸長状態および第３伸長状態において下筐体１２から突出させ、状況に応じて使用者が向きを選択することにより良好なＴＶ視聴状況を得られるようになっている。
またＴＶ受信用ロッドアンテナ４２は、不使用時には凹部１２Ｂに格納され上筐体１１によって凹部１２Ｂが閉塞されるので、不用意に伸長したり、擦れたりするおそれがない。
【００４２】
（第７実施形態）
図１０に示す第７実施形態の携帯端末９０は、上筐体１１，下筐体１２，連結部３５が前述した第２実施形態と同様な構成を有し、ＴＶ受信可能となっている。
図１０（Ａ）に示すように、携帯端末９０は、第２伸長状態および第３伸長状態において露出する機能部材として、上筐体１１の裏面１１Ｂに一対の脚部４３，４３が設けられている。脚部４３，４３は、上筐体１１の裏面１１Ｂに設けられた凹部４４，４４に収納されて、略両開き扉状に回動可能な板状とされている。
また、図１０（Ｂ）に示すように、この携帯端末９０は、第２伸長状態および第３伸長状態において露出する機能部材として、下筐体１２の表面１２ＡにＴＶ受信時の選局ボタン４５，音量ボタン４６，左スピーカ４７Ａ，右スピーカ４７Ｂが設けられている。
【００４３】
このような携帯端末９０は、第３伸長状態において各脚部４３，４３を拡開させるとともに、下筐体１２の側部および各脚部４３，４３の先端を載置面４８に接触させることにより、表示部１３が横長使いとなり、かつ、上向きに傾斜するように配向される（図１０（Ｃ）参照）。
この際、表示部１３の下方に選局ボタン４５，音量ボタン４６，左スピーカ４７Ａ，右スピーカ４７Ｂが露出する。
【００４４】
従って、この携帯端末９０によれば、通常のＴＶ視聴に適した横長の表示部１３が安定的に得られ、かつ、使用者が選局，音量調整を容易に行えるとともに、左スピーカ４７Ａ，右スピーカ４７Ｂが協働することによる臨場感に富んだ音声が得られる。
【００４５】
（第８実施形態）
図１１に示す第８実施形態の携帯端末１００は、上筐体１１，下筐体１２，連結部３０が前述した第１実施形態と同様な構成を有している。
図１１（Ａ）に示すように、この携帯端末１００は、第２伸長状態において露出する機能部材として、上筐体１１の裏面１１Ｂに収納部４８が設けられている。収納部４８は、蓋４９により密閉可能とされ、図１１（Ｂ）に示すように、内部にスタイラス５１が紐５２により連結されて収納されている。
一方、図１１（Ｃ）に示すように、この携帯端末１００は、下筐体１２の表面１２Ａに感圧面５３が設けられている。
【００４６】
このような携帯端末１００は、第２伸長状態において収納部４８から取り出したスタイラス５１により感圧面５３に文字，記号，数字等を入力したり、あるいはタップ，ホールド等の動作を行うことにより、所定のイベントを行わせる。
【００４７】
次に、本発明における連結部の変形例を説明する。
なお、以下に示す本発明の第９実施形態〜第１２実施形態は、主に連結部の相違について説明するものであり、各実施形態において示す図は、理解を助けるために下筐体に対する第１レール，第２レールおよび第３レールの配置個所が模式化されている。
従って、これらの第１レール，第２レールおよび第３レールは、実施にあたって下筐体の表面における適宜な個所に配置される。
【００４８】
（第９実施形態）
図１２に示す第９実施形態の携帯端末１０１は、連結部１０２として下筐体１２の長手方向に沿った第１レール３１と、第１レール３１の端部に略Ｔ字状に連結された第２レール３２とを備えている（図１２（Ａ）参照）。
この携帯端末１０１によれば、上筐体１１および下筐体１２が互いに積層した携帯状態から、第１伸長状態，第２伸長状態および第３伸長状態を選択できる。
すなわち、図１２（Ｂ）および図１２（Ｃ）に示すように、第２伸長状態および第３伸長状態は、第１伸長状態から下筐体１２の幅方向両側に移動した状態となっている。
【００４９】
（第１０実施形態）
図１３に示す第６実施形態の携帯端末１０３は、連結部１０４として下筐体１２の長手方向に沿った第１レール３１と、第１レール３１の中央部において略十文字状に連結された第２レール３２とを備えている（図１３（Ａ）参照）。
この携帯端末１０３によれば、上筐体１１および下筐体１２が互いに積層した携帯状態から、第１伸長状態，第２伸長状態および第３伸長状態を選択できる。
すなわち、図１３（Ｂ）および図１３（Ｃ）に示すように、第２伸長状態および第３伸長状態は、携帯状態から第１伸長状態に至る途中の位置から下筐体１２の幅方向両側に移動した状態となっている。
【００５０】
（第１１実施形態）
図１４に示す第１１実施形態の携帯端末１０５は、連結部１０６として下筐体１２の長手方向に沿った第１レール３１と、第１レール３１の端部において略Ｖ字状に連結された第２レール３２とを備えている（図１４（Ａ）参照）。
この携帯端末１０５によれば、上筐体１１および下筐体１２が互いに積層した携帯状態から、第１伸長状態および第２伸長状態を選択できる。
すなわち、図１４（Ｂ）に示すように、第２伸長状態は、携帯状態から下筐体１２の長手方向に対して所定角度で交差する方向に沿って移動した状態となっている。
【００５１】
（第１２実施形態）
図１５に示す第１２実施形態の携帯端末１０７は、連結部１０８として下筐体１２の長手方向に沿った第１レール３１，３１，３１と、各第１レール３１，３１，３１の両端部に架け渡された第２レール３２，３２とを備えている（図１５（Ａ）参照）。
この携帯端末１０７によれば、上筐体１１および下筐体１２が互いに積層した携帯状態から、第１伸長状態，第２伸長状態，第３伸長状態，第４伸長状態および第５伸長状態を選択できる。
【００５２】
すなわち、図１５（Ｂ）に示すように、第２伸長状態は、第１伸長状態から下筐体１２の幅方向一方側に移動した状態となっている。
また、図１５（Ｃ）に示すように、第３伸長状態は、携帯状態から下筐体１２の幅方向一方側（図中左方）に移動した状態、あるいは第２伸長状態から下筐体１２の長手方向に沿って移動した状態となっている。
【００５３】
さらに、図１５（Ｄ）に示すように、第４伸長状態は、携帯状態，第３伸長状態から下筐体１２の幅方向他方側（図中右方）に移動した状態、あるいは後述する第４伸長状態から下筐体１２の長手方向に沿って移動した状態となっている。
そして、図１５（Ｅ）に示すように、第５伸長状態は、第４伸長状態から下筐体１２の長手方向に沿って移動した状態、あるいは第２伸長状態から下筐体１２の幅方向他方側（図中右方）に移動した状態となっている。
【００５４】
なお、本発明の携帯端末は、前述した各実施形態に限定されるものでなく、適宜な変形，改良等が可能である。
例えば、前述した各実施形態において、連結部として下筐体に第１レール，第２レールを設けるとともに、上筐体に係合部を設けた構成を例示したが、これらは逆であってもよく、あるいは上筐体および下筐体にそれぞれ第１レール，第２レール，係合部を設けてもよい。
【００５５】
その他、前述した各実施形態において例示した上筐体，下筐体，連結部，機能部材，係合部，第１レール，第２レール等の材質，形状，寸法，形態，数，配置個所等は本発明を達成できるものであれば任意であり、限定されない。
【産業上の利用可能性】
【００５６】
本発明は、筐体に取付部材を係合する固定部材や、筐体に固定部材で取付部材を係合した電子機器への適用に好適である。
【符号の説明】
【００５７】
１０，４０，５０，６０，７０，８０，９０，１００，１０１，１０３，１０５，１０７  携帯端末
１１  上筐体
１１Ｂ  上筐体の裏面
１２  下筐体
１２Ａ  下筐体の表面
１６  相手撮りカメラ（機能部材）
１７  カメラ用照明（機能部材）
１８  撮影用マイクロフォン（機能部材）
１９  赤外線通信ポート（機能部材）
２２  自分撮りカメラ（機能部材）
３０，３５，１０２，１０４，１０６，１０８  連結部
３１  第１レール
３２  第２レール
３３  係合部
３７  関数キー（機能部材）
３８  ゲーム用十字キー（機能部材）
３９Ａ，３９Ｂ，３９Ｃ，３９Ｄ  接続用ポート（機能部材）
４２  ＴＶ用ロッドアンテナ（機能部材）
４３  脚部（機能部材）
４５  選局ボタン（機能部材）
４６  音量ボタン（機能部材）
４７Ａ  左スピーカ（機能部材）
４７Ｂ  右スピーカ（機能部材）
４８  収納部（機能部材）
５３  感圧面（機能部材）
【図１】
2010283882.tif 000003
【図２】
2010283882.tif 000004
【図３】
2010283882.tif 000005
【図４】
2010283882.tif 000006
【図５】
2010283882.tif 000007
【図６】
2010283882.tif 000008
【図７】
2010283882.tif 000009
【図８】
2010283882.tif 000010
【図９】
2010283882.tif 000011
【図１０】
2010283882.tif 000012
【図１１】
2010283882.tif 000013
【図１２】
2010283882.tif 000014
【図１３】
2010283882.tif 000015
【図１４】
2010283882.tif 000016
【図１５】
2010283882.tif 000017